(57)【要約】  第１画像分離マスクによるマルチ画像表示のぼけプロファイルを識別するための方法。該方法は、第２画像分離マスク（２０５）を通して較正パターン（２０２）を表示するステップと、評価者（２０３、２０４）が目測を行なって第２画像分離マスク（２０５）により較正パターン（２０２）にもたらされるぼけの発生を指摘することを可能にするステップと、目測に従って少なくとも第１画像分離マスクのぼけプロファイルを発生させるステップとを含む。第１および第２画像分離マスクは実質的に同様の光学的プロファイルを有する。【選択図】  図２
2010521081.tif 000002
【特許請求の範囲】
【請求項１】
第１画像分離マスクによるマルチ画像表示のぼけプロファイルを識別するための方法であって、
（ａ）第２画像分離マスクを通して較正パターンを表示するステップと、
（ｂ）評価者が目測を行なって前記第２画像分離マスクにより前記較正パターンにもたらされるぼけを指摘することを可能にするステップと、
（ｃ）前記目測に従って少なくとも前記第１画像分離マスクのぼけプロファイルを発生させるステップとを含み、
前記第１および第２画像分離マスクは実質的に同様の光学的プロファイルを有する、方法。
【請求項２】
前記評価者はシステムオペレータである、請求項１に記載の方法。
【請求項３】
前記ぼけプロファイルはコンボリューションカーネルを含む、請求項１に記載の方法。
【請求項４】
前記ぼけプロファイルを用いて、マルチ画像表示から少なくとも１つのゴーストアーチファクトを減少させるステップをさらに含む、請求項１に記載の方法。
【請求項５】
前記減少させるステップはハーフトーニングプロセスでぼけプロファイルを使用することによって実行される、請求項４に記載の方法。
【請求項６】
前記ぼけプロファイルと人間の視知覚のモデル化に使用されるフィルタとを組み合わせるステップをさらに含む、請求項４に記載の方法。
【請求項７】
ぼかしフィルタ、画像ぼかし変換、画像変換機能から成る群から選択されたメンバを作成するステップ、および前記メンバに従って少なくとも１つの画像を処理するステップをさらに含む、請求項１に記載の方法。
【請求項８】
前記目測は、前記較正パターンの画像を取り込み、かつ前記取り込まれた画像に従って前記目測をもたらすように構成された画像取り込み装置によって与えられる、請求項１に記載の方法。
【請求項９】
第２画像分離マスクは第１画像分離マスクである、請求項１に記載の方法。
【請求項１０】
マルチ画像表示における少なくとも１つの画像の現出をエミュレートするために、ぼけプロファイルを使用するステップをさらに含む、請求項１に記載の方法。
【請求項１１】
前記較正パターンは印刷され、前記較正パターンは前記光学的プロファイルの少なくとも１つの印刷アーチファクトによって生じる印刷ぼけを有する、請求項１に記載の方法。
【請求項１２】
前記少なくとも１つの印刷アーチファクトは、鏡面基材、インクの滲み、インク盛り、縁部鮮鋭度、基材における表面下の散乱、および光沢の不均一性から成る群から選択されたメンバを含む、請求項１１に記載の方法。
【請求項１３】
前記ぼけを低減した画像をマルチ画像表示に提示することをさらに含む、請求項１に記載の方法。
【請求項１４】
マルチ画像表示は、レンチキュラ印刷用の少なくとも１つのインタレース画像、多次元シーンを表わす一連の画像のうちの少なくとも１つの画像、およびマルチ画像表示用のインタレース画像を作成するための少なくとも１つの画像から成る群から選択された少なくとも１つの画像を含む、請求項１に記載の方法。
【請求項１５】
前記画像分離マスクは、レンチキュラレンズアレイ、光バリア、視差バリア、インテグラルフォトグラフィ用のレンズのアレイ、および多次元画像を表示するためのディスプレイから成る群から選択される、請求項１に記載の方法。
【請求項１６】
ステップｃ）の前に前記評価者の位置情報を受信するステップをさらに含み、前記発生させるステップが前記評価者の位置情報に従って実行される、請求項１に記載の方法。
【請求項１７】
前記較正パターンは少なくとも１つの位置ラベルを含み、前記目測を行って可能にするステップはさらに、特定の位置からの前記少なくとも１つの位置ラベルの視認性に従って前記位置情報の位置推定を可能にするステップを含む、請求項１に記載の方法。
【請求項１８】
前記較正パターンはバンディングパターンを含み、さらに、前記目測に従ってマルチ画像表示の少なくとも１つの画像を較正するように構成されたバンディングプロファイルを生成するステップを含む、請求項１に記載の方法。
【請求項１９】
マルチ画像表示のアーチファクトを低減するための方法であって、
画像分離マスクを通して較正パターンを表示するステップと、
評価者が目測を行なって、前記画像分離マスクによりもたらされるマルチ画像表示のアーチファクトを指摘することを可能にするステップと、
前記目測に従って内容画像を処理し、それによって前記マルチ画像表示のアーチファクトを低減するステップとを含む、方法。
【請求項２０】
前記較正パターンはバンディングプロファイルであり、前記目測を行って可能にするステップは、前記内容画像に対する前記画像分離マスクの較正を可能にするステップを含む、請求項１９に記載の方法。
【請求項２１】
前記アーチファクトはゴーストアーチファクト、滲みアーチファクト、縁部鮮鋭度アーチファクト、バンディングアーチファクト、および光沢の不均一性アーチファクトから成る群から選択される、請求項１９に記載の方法。
【請求項２２】
マルチ画像表示を視覚化するための方法であって、
画像分離マスクを通して較正パターンを表示するステップと、
画像分離マスクによって生じるぼけの目測を可能にするステップと、
前記目測に従って少なくとも１つの画像を処理するステップと、
前記少なくとも１つの処理された画像を表示し、それによって前記画像分離マスクを通して前記少なくとも１つの画像の現出を視覚化するステップとを含む、方法。
【請求項２３】
前記ぼかしは、前記目測に従ってぼけプロファイルを生成し、前記ぼけプロファイルを使用して前記少なくとも１つの画像を処理することを含む、請求項２２に記載の方法。
【請求項２４】
前記表示するステップは、前記画像分離マスクを通した前記較正パターンの現出をシミュレートするように構成されたシミュレーションモジュールを用いて実行される、請求項２２に記載の方法。
【請求項２５】
前記処理する前に、画像取込み装置から前記目測を受け取るステップをさらに含む、請求項２２に記載の方法。
【請求項２６】
マルチ画像表示のぼけプロファイルを識別するためのシステムであって、
少なくとも画像分離マスクによって較正パターンに生じたぼけの目測を受け取るように構成された入力モジュールと、
前記目測に従ってぼけプロファイルを生成するように構成された較正モジュールと、
ぼけプロファイルを出力し、それによってマルチ画像表示のゴーストアーチファクトの低減およびマルチ画像表示の視覚化の少なくとも１つを可能にするための出力ユニットとを備える、システム。
【請求項２７】
前記画像分離マスクは光学的プロファイルを有し、前記マルチ画像表示は前記光学的プロファイルを有する追加の画像分離マスクを有し、前記マルチ画像表示は、前記追加の画像分離マスクを通して前記少なくとも１つの較正画像を表示することによって形成される、請求項２６に記載のシステム。
【請求項２８】
前記光学的プロファイルは、ピッチ、曲率、屈折率形状、レンチキュラレンズの相対位置、透明度等から成る群から選択されたメンバを定義するために構成される、請求項２７に記載のシステム。
【請求項２９】
前記マルチ画像表示の視覚化を生成し、かつネットワークを介して前記視覚化をクライアント端末に送信し、それによってユーザが前記視覚化を見ることを可能にするように構成されたクライアントインタフェースをさらに備える、請求項２６に記載のシステム。
【請求項３０】
前記クライアントインタフェースは、前記ネットワークを介して前記ユーザから生成許可を受け取り、かつ前記生成許可に従ってマルチ画像表示を生成するように構成される、請求項２９に記載のシステム。
【請求項３１】
前記クライアント端末は前記システムから遠隔的に配置される、請求項２９に記載のシステム。
【請求項３２】
マルチ画像表示は、レンチキュラ印刷用の少なくとも１つのインタレース画像、多次元シーンを表わす一連の画像のうちの少なくとも１つの画像、およびマルチ画像表示用のインタレース画像を作成するための少なくとも１つの画像から成る群から選択された少なくとも１つの画像を含む、請求項２６に記載のシステム。
【請求項３３】
少なくとも１つの画像および第１画像分離マスクを有するマルチ画像表示のゴーストを除去するための方法であって、
画像分離マスクを通して較正パターンを表示するステップと、
第２画像分離マスクによって生じるぼかしアーチファクトの目測を可能にするステップと、
前記目測に従って少なくとも１つの画像を処理し、それによって少なくとも第１画像分離マスクによって生じるゴーストアーチファクトを低減するステップとを含み、
前記第１および第２画像分離マスクは、実質的に同様の光学的プロファイルを有する、方法。
【発明の詳細な説明】
【技術分野】
【０００１】
本発明は、その一部の実施形態では、マルチ画像表示を較正および／または視覚化するためのシステムおよび方法に関し、さらに詳しくは、画像分離マスクに基づくマルチ画像表示の較正および／または視覚化のためのシステムおよび方法に関するが、それらに限定されない。
【背景技術】
【０００２】
市場の需要を満たすために、マルチ画像表示は２Ｄ表示に課せられる高品質標準に適合しなければならない。そのような空間表示のユーザは、高解像度、ロバスト性、信頼性、厚さ、低コスト、ならびにカメラおよび立体カメラを含め事実上全ての共通映像フォーマットのサポートが重要であると考える。
【０００３】
マルチ画像表示を作成するための方法の１つは、画像および／または部分画像の空間的または時間的インターディジテーション（ｉｎｔｅｒｄｉｇｉｔａｔｉｏｎ）によって達成される。マルチビュー表示と呼ばれることのある空間的インターディジテーションによる空間表示について言うと、複数の隣接画素またはそれらの色サブ画素はグループ化されて画素クラスタを形成し、各画素は異なる視点からの３Ｄシーンを含む。例えば２００２年４月２日に発行された米国特許第６３６６２８１号を参照されたい。バリア、レンチキュラレンズアレイ、または他の光学要素などの画像分離マスクは、各画素クラスタの画素内容を空間に扇状に投射する。各扇は、特定の視点からの３Ｄシーンの画像内容を含む。観察者の両眼が隣接する扇に位置する場合、観察者は所望の立体的表現を知覚する。しかし、この構成は低い解像度が弱点である。全体的解像度は、画像マトリクスの解像度によってではなく、より粗い画素クラスタ解像度の解像度によって決定される。例えば８つの視点を持つ画像は解像度が１／８に低下する。
【０００４】
マルチ画像表示を作成するための別の方法は、要素が傾斜するときに視覚的動きをもたらす画像構造を画像の一部分に組み込む要素を製造するプロセス、および特に、動画像要素を生成するためのシステムに関する。例えば２００１年３月６日に発行された米国特許第６１９８５４４号を参照されたい。
【０００５】
時間的インターディジテーションによるマルチ画像空間表示について言うと、（例えばＮｅｉｌ  Ａ．Ｄｏｄｇｓｏｎら：Ａ  ５０″  ｔｉｍｅ‐ｍｕｌｔｉｐｌｅｘｅｄ  ａｕｔｏｓｔｅｒｅｏｓｃｏｐｉｃ  ｄｉｓｐｌａｙ，ＰｒｏｃＳＰＩＥ  ３９５７、「Ｓｔｅｒｅｏｓｃｏｐｉｃ  Ｄｉｓｐｌａｙｓ  ＆  Ａｐｐｌｉｃａｔｉｏｎｓ  ＸＩ」を参照）、光源は相互に隣接して配置され、画像分離マスクに投射され、それは投射された光の変調を可能にする。観察者は、各眼で異なる視野を見ながら、変調された投射光を見ることができる。投射光は異なる視点から見られるシーンを表わすので、観察者は立体画像を知覚する。同じことは数人の観察者にも当てはまる。
【発明の概要】
【０００６】
本発明の一部の実施形態の態様では、第１画像分離マスクによるマルチ画像表示のぼけプロファイルを識別するための方法を提供する。該方法は、第２画像分離マスクを通して較正パターンを表示するステップと、評価者が目測（ｖｉｓｕａｌ  ｅｓｔｉｍａｔｉｏｎ）を行なって第２画像分離マスクにより較正パターンにもたらされるぼけを指摘することを可能にするステップと、目測に従って少なくとも第１画像分離マスクのぼけプロファイルを発生させるステップとを含む。第１および第２画像分離マスクは実質的に同様の光学的プロファイルを有する。
【０００７】
任意選択的に、評価者はシステムオペレータである。
【０００８】
任意選択的に、ぼけプロファイルはコンボリューションカーネルを含む。
【０００９】
任意選択的に、該方法はさらに、ぼけプロファイルを用いて、マルチ画像表示から少なくとも１つのゴーストアーチファクトを減少させるステップを含む。
【００１０】
さらに任意選択的に、減少ステップはハーフトーニングプロセスでぼけプロファイルを使用することによって実行される。
【００１１】
さらに任意選択的に、該方法はさらに、ぼけプロファイルと人間の視知覚のモデル化に使用されるフィルタとを組み合わせるステップを含む。
【００１２】
任意選択的に、該方法はさらに、ぼかしフィルタ、画像ぼかし変換、画像変換機能から成る群から選択されたメンバを作成するステップ、および該メンバに従って少なくとも１つの画像を処理するステップを含む。
【００１３】
任意選択的に、目測は、較正パターンの画像を取り込み、かつ取り込まれた画像に従って目測をもたらすように構成された画像取込み装置によって与えられる。
【００１４】
任意選択的に、第２画像分離マスクは第１画像分離マスクである。
【００１５】
任意選択的に、該方法はさらに、マルチ画像表示における少なくとも１つの画像の現出をエミュレートするために、ぼけプロファイルを使用するステップを含む。
【００１６】
任意選択的に、較正パターンは印刷され、較正パターンは光学的プロファイルの少なくとも１つの印刷アーチファクトによって生じる印刷ぼけを有する。
【００１７】
さらに任意選択的に、少なくとも１つの印刷アーチファクトは、鏡面基材、インクの滲み、インク盛り、縁部鮮鋭度、基材における表面下の散乱、および光沢の不均一性から成る群から選択されたメンバを含む。
【００１８】
任意選択的に、該方法はさらに、ぼけを低減した画像をマルチ画像表示に提示することを含む。
【００１９】
任意選択的に、マルチ画像表示は、レンチキュラ印刷用の少なくとも１つのインタレース画像、多次元シーンを表わす一連の画像のうちの少なくとも１つの画像、およびマルチ画像表示用のインタレース画像を作成するための少なくとも１つの画像から成る群から選択された少なくとも１つの画像を含む。
【００２０】
任意選択的に、画像分離マスクは、レンチキュラレンズアレイ、光バリア、視差バリア、インテグラルフォトグラフィ用のレンズのアレイ、および多次元画像を表示するためのディスプレイから成る群から選択される。
【００２１】
任意選択的に、該方法はさらに、ステップｃ）の前に評価者の位置情報を受信するステップを含み、前記発生させるステップが位置情報に従って実行される。
【００２２】
任意選択的に、較正パターンは少なくとも１つの位置ラベルを含み、目測を可能にするステップはさらに、特定の位置からの少なくとも１つの位置ラベルの視認性に従って位置情報の位置推定を可能にするステップを含む。
【００２３】
任意選択的に、較正パターンはバンディングパターンを含み、さらに、目測に従ってマルチ画像表示の少なくとも１つの画像を較正するように構成されたバンディングプロファイルを生成するステップを含む。
【００２４】
本発明の一部の実施形態の態様では、マルチ画像表示のアーチファクトを低減するための方法を提供する。該方法は、画像分離マスクを通して較正パターンを表示するステップと、評価者が目測を行なって、画像分離マスクによりもたらされるマルチ画像表示のアーチファクトを指摘することを可能にするステップと、目測に従って内容画像を処理し、それによってマルチ画像表示のアーチファクトを低減するステップとを含む。
【００２５】
任意選択的に、較正パターンはバンディングプロファイルであり、目測を可能にするステップは、内容画像に対する画像分離マスクの較正を可能にするステップを含む。
【００２６】
任意選択的に、アーチファクトはゴーストアーチファクト、滲みアーチファクト、縁部鮮鋭度アーチファクト、バンディングアーチファクト、および光沢の不均一性アーチファクトから成る群から選択される。
【００２７】
本発明の一部の実施形態の態様では、マルチ画像表示を視覚化するための方法を提供する。該方法は、画像分離マスクを通して較正パターンを表示するステップと、画像分離マスクによって生じるぼけの目測を可能にするステップと、目測に従って少なくとも１つの画像を処理するステップと、少なくとも１つの処理された画像を表示し、それによって画像分離マスクを通して少なくとも１つの画像の現出を視覚化するステップとを含む。
【００２８】
任意選択的に、ぼかしは、目測に従ってぼけプロファイルを生成し、ぼけプロファイルを使用して少なくとも１つの画像を処理することを含む。
【００２９】
任意選択的に、表示ステップは、画像分離マスクを通した較正パターンの現出をシミュレートするように構成されたシミュレーションモジュールを用いて実行される。
【００３０】
任意選択的に、該方法はさらに、処理する前に、画像取込み装置から目測を受け取るステップを含む。
【００３１】
本発明の一部の実施形態の態様では、マルチ画像表示のぼけプロファイルを識別するためのシステムを提供する。該システムは、少なくとも画像分離マスクによって較正パターンに生じたぼけの目測を受け取るように構成された入力モジュールと、目測に従ってぼけプロファイルを生成するように構成された較正モジュールと、ぼけプロファイルを出力し、それによってマルチ画像表示のゴーストアーチファクトの低減およびマルチ画像表示の視覚化の少なくとも１つを可能にするための出力ユニットとを備える。
【００３２】
任意選択的に、画像分離マスクは光学的プロファイルを有し、マルチ画像表示は光学的プロファイルを有する追加の画像分離マスクを有し、マルチ画像表示は、追加の画像分離マスクを通して少なくとも１つの較正画像を表示することによって形成される。
【００３３】
さらに任意選択的に、光学的プロファイルは、ピッチ、曲率、屈折率形状、レンチキュラレンズの相対位置、透明度等から成る群から選択されたメンバを定義するために構成される。
【００３４】
任意選択的に、該システムはさらに、マルチ画像表示の視覚化を生成し、かつネットワークを介して視覚化をクライアント端末に送信し、それによってユーザが視覚化を見ることを可能にするように構成されたクライアントインタフェースを備える。
【００３５】
さらに任意選択的に、クライアントインタフェースは、ネットワークを介してユーザから生成許可を受け取り、かつ生成許可に従ってマルチ画像表示を生成するように構成される。
【００３６】
さらに任意選択的に、クライアント端末はシステムから遠隔的に配置される。
【００３７】
任意選択的に、マルチ画像表示は、レンチキュラ印刷用の少なくとも１つのインタレース画像、多次元シーンを表わす一連の画像のうちの少なくとも１つの画像、およびマルチ画像表示用のインタレース画像を作成するための少なくとも１つの画像から成る群から選択された少なくとも１つの画像を含む。
【００３８】
本発明の一部の実施形態の態様では、少なくとも１つの画像および第１画像分離マスクを有するマルチ画像表示のゴーストを除去するための方法を提供する。該方法は、画像分離マスクを通して較正パターンを表示するステップと、第２画像分離マスクによって生じるぼかしアーチファクトの目測を可能にするステップと、目測に従って少なくとも１つの画像を処理し、それによって少なくとも第１画像分離マスクによって生じるゴーストアーチファクトを低減するステップとを含む。第１および第２画像分離マスクは、実質的に同様の光学的プロファイルを有する。
【００３９】
別途定義されない限り、本明細書中で使用されるすべての技術的用語および／または科学的用語は、本発明が属する技術分野の当業者によって一般に理解されるのと同じ意味を有する。本明細書中に記載される方法および材料と類似または同等である方法および材料を本発明の実施または試験において使用することができるが、例示的な方法および／または材料が下記に記載される。矛盾する場合には、定義を含めて、本特許明細書が優先する。加えて、材料、方法および実施例は例示にすぎず、限定であることは意図されない。
【００４０】
本発明の実施形態の方法および／またはシステムを実行することは、選択されたタスクを、手動操作で、自動的にまたはそれらを組み合わせて実行または完了することを含んでいる。さらに、本発明の装置、方法および／またはシステムの実施形態の実際の機器や装置によって、いくつもの選択されたステップを、ハードウェア、ソフトウェア、またはファームウェア、あるいはオペレーティングシステムを用いるそれらの組合せによって実行できる。
【００４１】
例えば、本発明の実施形態による選択されたタスクを実行するためのハードウェアは、チップまたは回路として実施されることができる。ソフトウェアとして、本発明の実施形態により選択されたタスクは、コンピュータが適切なオペレーティングシステムを使って実行する複数のソフトウェアの命令のようなソフトウェアとして実施されることができる。本発明の例示的な実施形態において、本明細書中に記載される方法および／またはシステムの例示的な実施形態による１つ以上のタスクは、データプロセッサ、例えば複数の命令を実行する計算プラットフォームで実行される。任意選択的に、データプロセッサは、命令および／またはデータを格納するための揮発性メモリ、および／または、命令および／またはデータを格納するための不揮発性記憶装置（例えば、磁気ハードディスク、および／または取り外し可能な記録媒体）を含む。任意選択的に、ネットワーク接続もさらに提供される。ディスプレイおよび／またはユーザ入力装置（例えば、キーボードまたはマウス）も、任意選択的にさらに提供される。
【００４２】
本明細書では本発明のいくつかの実施形態を単に例示し添付の図面を参照して説明する。特に詳細に図面を参照して、示されている詳細が例示として本発明の実施形態を例示考察することだけを目的としていることを強調するものである。この点について、図面について行う説明によって、本発明の実施形態を実施する方法は当業者には明らかになるであろう。
【図面の簡単な説明】
【００４３】
【図１】図１は、本発明の一部の実施形態に係るマルチ画像表示を較正するための方法のフローチャートである。
【図２】図２は、本発明の一部の実施形態に係るマルチ画像表示用の１つ以上の画像を較正するためのシステムの略図である。
【図３】図３は、本発明の一部の実施形態に係るマルチ画像表示用の１つ以上の画像を較正するための分散システムの略図である。
【図４】図４は、本発明の一部の実施形態に係る例示的較正パターンテンプレートである。
【図５】図５は、本発明の一部の実施形態に係る、較正パターンテンプレート内に配置されるように設計された例示的な可変性較正タイルの略図である。
【図６】図６は、本発明の一部の実施形態に係る、画像取込み装置、較正パターン、画像分離マスク、および図１に示した較正システムの略図である。
【図７】図７は、本発明の一部の実施形態に係る、画像取込み装置用に設計された例示的較正パターンテンプレートである。
【図８】図８は、本発明の一部の実施形態に係る、図７の較正パターンテンプレートに配置されるように設計された例示的な可変性較正タイルの略図である。
【図９】図９は、本発明の一部の実施形態に係る、分離可能なアーチファクト識別子を有する例示的較正パターンテンプレートの略図である。
【図１０】図１０は、本発明の一部の実施形態に係る、ぼけプロファイルを調整するためのグラフィカルユーザインタフェース（ＧＵＩ）の略図である。
【図１１】図１１は、本発明の一部の実施形態に係る、相互に一定の距離に配置された黒線の頒布パターンを表わすバンディング較正パターンである。
【図１２】図１２は、本発明の一部の実施形態に係る、バンディング効果をシミュレートしかつ評価者に表示される１つ以上のパターンを含むＧＵＩである。
【図１３】図１３は、本発明の一部の実施形態に係る、マルチ画像表示を視覚化するための方法のフローチャートである。
【図１４】図１４は、本発明の一部の実施形態に係る、矩形に配列された９つの勾配パターンの１組の画像の略図である。
【発明を実施するための形態】
【００４４】
本発明は、その一部の実施形態では、マルチ画像表示を較正および／または視覚化するためのシステムおよび方法に関し、さらに詳しくは、画像分離マスクに基づくマルチ画像表示の較正および／または視覚化のためのシステムおよび方法に関するが、それらに限定されない。
【００４５】
本発明の一部の実施形態では、マルチ画像表示を較正するために使用することのできる、ぼけプロファイルなどの１つ以上の劣化プロファイルを識別するための方法およびシステムを提供する。該方法は、特定の画像分離マスクを通してシステムオペレータまたは画像取込み装置などの評価者に対して表示される較正パターンに基づく。本書で使用される場合、画像分離マスクとは、レンチキュラレンズアレイ、視差バリア、マルチ画像表示スクリーン、例えば参照によって本書に組み込まれる１９９６年５月２３日出願の米国特許出願第５８００９０７号に記載されているインテグラルフォトグラフィ（ＩＰ）用のレンズのアレイ、および多次元画像を表示するための任意のディスプレイを意味する。そのようなディスプレイは、評価者が少なくとも画像分離マスクによって引き起こされたぼけの目測を行なうことを可能にする。ぼけはまた、印刷アーチファクト、紙の品質、および一部の実施形態では、画像分離マスクを介して１つ以上の画像を投射または表示する要素に関連するアーチファクトによっても影響されることがある。目測は較正パターンおよび／またはその要素の現出に基づく。ここで、目測が行われた後、任意選択的にぼけプロファイルである劣化プロファイルが目測に従って生成される。ぼけプロファイルは、同一画像分離マスクを通して、または上記の目測中に使用された画像分離マスクと同一光学的プロファイルを有するマスクを通して表示される１つ以上の画像を較正するように設計される。そのような方法は、特定の画像分離マスクの特定の光学的プロファイルに合わせて調整されたぼけプロファイルを識別するために使用することができることに注目されたい。さらに、そのような方法はまた、バンディングプロファイルなどの他の光学的、表示、および／または印刷プロファイルを識別するためにも使用することができ、それらは特定の画像分離マスクによって引き起こされる光学収差に応じて、または較正される画像を生成するために使用される印刷装置および／またはコピー装置によって引き起こされる印刷アーチファクトに応じて調整される。そのような実施形態は、マルチ画像表示物のプリンタおよび／またはコピー装置を較正するためにも使用することができることに注目されたい。
【００４６】
本発明の一部の実施形態では、マルチ画像表示を視覚化するための方法およびシステムを提供する。上で略述したのと同様に、この方法は、画像分離マスクを通して評価者に対して表示される較正パターンに基づく。表示は、上で略述しかつ下で説明する通り、評価者が画像分離マスクによって引き起こされるアーチファクトを目測することを可能にする。ここで、目測は、上記画像分離マスクを介してまたは同様の画像分離マスクを介して表示されるように設計された画像を表示するときに、表示内に発生するぼけをシミュレートするために使用される。ぼかしは、画像分離マスクを介したその現出を視覚化するような仕方で画像を表示することを可能にする。本書で使用する場合、ぼかしとは、画像にぼけを加え、例えば１つ以上の画像を１つ以上の他の画像の上に重ねることによってゴーストアーチファクトが生じるように画像を混合し、かつ／またはインタレース画像のストリップを混合し、もしくはインタレース画像の１ストリップの特徴をインタレース画像の別のストリップ上に重ねることを意味する。任意選択的に、マルチ画像表示がレンチキュラ画像である場合、ぼかし効果は、インタレース画像をぼかすか、または画像の加重オーバレイを生じる任意の他の処理によって達成される。
【００４７】
そのような方法は、インタレース画像の、または画像を組み合わせる任意の他の画像フォーマットの、画像分離マスクを通しての現出をエミュレートすることを可能にする。顧客、編集者、または写真家などのユーザは、パーソナルコンピュータなどのクライアント端末を任意選択的に用いて、インタレース画像をウェブサーバなどのリモートサーバにアップロードすることができ、リモートサーバはアップロードされたインタレース画像をほかすためにぼけプロファイルを使用して、エミュレーション画像を作成することができる。任意選択的に、ユーザは、任意選択的に上述したぼかしの前にリモートサーバによってインタレースされた画像をアップロードする場合がある。任意選択的に、ユーザは、インタレース画像を作成するためにリモートサーバまたは別のサーバによって使用される情報をアップロードする場合がある。ぼかしは、これらの画像に基づくマルチ画像表示の現出をエミュレートするために実行される。ぼかした画像またはその任意の生成物またはセグメントはユーザに返され、任意選択的にユーザのパーソナルクライアント端末上でマルチ画像表示アーチファクトをユーザがプレビューすることを可能にする。そのようなプレビューは、ユーザが、マルチ画像表示を見ずにその印刷および／またはコピーおよび／または表示を許可することを可能にする場合がある。そのような実施形態は、インターネットを使用した、例えばウェブサイトを使用したマルチ画像表示の注文を促進する場合がある。
【００４８】
本発明の少なくとも１つの実施形態を詳しく説明する前に、本発明は、その適用において、下記の記載に示されるか、および／または、図面および／または実施例において例示される構成要素および／または方法の組み立ておよび構成の細部に必ずしも限定されないことを理解しなければならない。本発明は他の実施形態が可能であり、または様々な方法で実施または実行されることが可能である。
【００４９】
ここで図１を参照すると、それは、本発明の一部の実施形態に係る、画像分離マスクによるマルチ画像表示のぼけプロファイルを識別するための方法１００のフローチャートである。本書で使用する場合、画像分離マスクとは、レンチキュラレンズアレイ、光バリア、視差バリア、および／または立体画像などの複数の画像を表示するための任意の他のディスプレイパネルを意味する。任意選択的に、画像を複数の方向に向けるために、画像分離マスクは任意選択的に周期的な垂直および／または水平構造を有する。
【００５０】
該方法は、ぼかし画像変換を生じるために使用されるぼけプロファイルの識別を可能にする。１実施形態では、ぼかし変換は、ガウスまたはローレンツ分布ベースのフィルタなどのぼかしフィルタによるインタレース画像の畳み込み、または１つ以上の視覚的および／もしくは光学的評価尺度に基づく任意の他の変換によって実現される。他の実施形態では、ぼかし画像変換は、インタレース画像のストリップを混合することによって、または例えば下で方程式２に関連して記載するように加重平均として表示するように指定された画像を混合することによって実現される。
【００５１】
簡潔を期すために、そのようなぼかし画像変換、または任意の他の変換を本書ではぼけプロファイルと呼ぶことがある。ぼけプロファイルは、少なくとも画像分離マスク、および任意選択的に印刷アーチファクト、紙の品質、ならびに一部の実施形態では、表示要素および／または投射要素によって引き起こされるアーチファクトによって引き起こされるぼけを表わす。最初に、１０１に示すように、較正パターンが提供される。下でさらに述べるように、多数の較正パターンを使用することができる。次いで、１０２に示すように、較正パターンは、例えば画像分離マスクを通してマルチ画像表示で、ユーザに対してかつ／またはカメラなどの画像取込み装置に対して表示される。この表示は、１０３に示す通り、任意選択的に下述の通り、ユーザおよび／または画像取込み装置が、少なくとも画像分離マスクによって引き起こされるぼけおよび／または形状を示す１つ以上の特徴の強さまたは視認性などの特徴を目測することを可能にする。本書で使用する場合、画像取込み装置とはデジタルカメラ、またはデジタル画像を取り込むために電荷結合デバイス（ＣＣＤ）センサおよび相補型金属酸化物半導体（ＣＭＯＳ）センサなどの画像センサを使用する他の装置を意味する。次に、１０４に示すように、印刷テンプレートの目測に従ってぼけプロファイルが作成される。任意選択的に、ぼけプロファイルはコンボリューションカーネルとして定義される。そのようなぼけプロファイルは、マルチ画像表示で表示するように指定される１つ以上のインタレース画像または任意の他の画像もしくはそのセグメントをぼかすため、かつ／またはここではゴースト除去と理解されるぼかし除去のために使用することができる。そのようなインタレース画像の１例として、多数の角度からのシーンおよび／または１つ以上の被写体の動きを表わすレンチキュラ印刷用のインタレース画像がある。別の例として、画像分離マスクディスプレイ上に投射される３次元（３Ｄ）シーンを表わす一連の画像用のインタレース画像がある。例えば、参照によって本書に組み込まれるＷｏｊｃｉｅｃｈ  Ｍａｔｕｓｉｋらの「３Ｄ  ＴＶ：Ａ  Ｓｃａｌａｂｌｅ  Ｓｙｓｔｅｍ  ｆｏｒ  Ｒｅａｌ‐Ｔｉｍｅ  Ａｃｑｕｉｓｉｔｉｏｎ，Ｔｒａｎｓｍｉｓｓｉｏｎ，ａｎｄ  Ａｕｔｏｓｔｅｒｅｏｓｃｏｐｉｃ  Ｄｉｓｐｌａｙ  ｏｆ  Ｄｙｎａｍｉｃ  Ｓｃｅｎｅｓ，Ｍｉｔｓｕｂｉｓｈｉ  Ｅｌｅｃｔｒｉｃ  Ｒｅｓｅａｒｃｈ  Ｌａｂｏｒａｔｏｒｉｅｓ，Ｃａｍｂｒｉｄｇｅ，ＭＡを参照されたい。明確を期すために、３Ｄシーンとは、ここでは多数の角度からの１つ以上の被写体、および／または１つ以上の被写体の動き、および／または少なくとも２つの異なる画像間のフリッピングを表わすシーンと理解することができる。
【００５２】
該方法は、動的および静的３Ｄシーンの３Ｄ表示のぼかしを除去するために使用することができる。本書で使用する場合、３Ｄシーンとは、時間に沿って３次元で表示されるシーン、および／または多数の視点（ＰＯＶ）から表示されるシーンを意味する。任意選択的に、３Ｄシーンは静的シーン、例えば画像分離マスクの前面に印刷および／または付着されたインタレース画像によって表わされるシーンである。任意選択的に、３Ｄシーンは動的シーン、例えば画像分離マスクディスプレイ上に投射される３Ｄシーンである。参照によって本書に組み込まれるＷｏｊｃｉｅｃｈ  Ｍａｔｕｓｉｋらの「３Ｄ  ＴＶ：Ａ  Ｓｃａｌａｂｌｅ  Ｓｙｓｔｅｍ  ｆｏｒ  Ｒｅａｌ‐Ｔｉｍｅ  Ａｃｑｕｉｓｉｔｉｏｎ，Ｔｒａｎｓｍｉｓｓｉｏｎ，ａｎｄ  Ａｕｔｏｓｔｅｒｅｏｓｃｏｐｉｃ  Ｄｉｓｐｌａｙ  ｏｆ  Ｄｙｎａｍｉｃ  Ｓｃｅｎｅｓ，Ｍｉｔｓｕｂｉｓｈｉ  Ｅｌｅｃｔｒｉｃ  Ｒｅｓｅａｒｃｈ  Ｌａｂｏｒａｔｏｒｉｅｓ，Ｃａｍｂｒｉｄｇｅ，ＭＡを参照されたい。任意選択的に、３Ｄシーンは、複数の異なる映像が表示され各映像が異なる角度に表示される動的シーンである。
【００５３】
任意選択的に、ぼけプロファイルは、画像分離マスクを用いて達成されるマルチ画像表示によって表示されるビューを視覚化する１つ以上の画像をエミュレートするために使用される。パーソナルコンピュータまたは任意の他のクライアント端末のスクリーンなどの、２Ｄディスプレイでユーザに表示することができ、かつ／またはレンチキュラレンズアレイおよび／または一般的に使用される印刷媒体上に印刷することのできる、そのような視覚化は、静止画像および／または一連の画像が画像分離マスクを通して、かつ／または画像分離マスク上に投射されたときに、どのように見えるかをユーザが知ることを可能にする。
【００５４】
ここで図２をも参照すると、それは、本発明の一部の実施形態に係る、マルチ画像表示用の１つ以上の画像をゴースト除去しかつ／またはぼかすためのぼけプロファイルを識別するための較正システム２００の略図である。較正システム２００は任意選択的に、画像分離マスク２０５を通して、または画像分離マスク２０５上に、較正パターン２０２を表示するためのイメージングモジュール２０１を備える。較正パターン２０２は印刷しかつ／またはディスプレイ上に表示することができ、その評価が可能になる。較正パターン２０２は、オペレータ２０３および／または画像取込み装置２０４に対して表示され、それらを合わせてまたは別々に評価者２０８と呼ぶことがある。較正パターン２０２は、画像分離マスク２０５によって引き起こされるぼけを示す１つ以上の特徴の強さまたは視認性などの特徴を評価者２０８が目測することを可能にする。任意選択的に下でさらに記述するように、較正システム２００は、ユーザの目測に従ってぼけプロファイルを推定するための較正モジュール２０７を含む。較正システム２００はさらに、評価者２０８が上述した目測を入力することを可能にするための入力モジュール２０６を備える。任意選択的に、評価者は本書でオペレータ２０３と呼ばれる人間オペレータ２０３であり、入力モジュール２０６は、スクリーンなどの表示ユニット上で、人間オペレータ２０３に対して表示されるユーザインタフェースを含む。任意選択的に、ユーザインタフェースは、表示された較正パターン２０２上に現われる１つ以上のアーチファクトをオペレータ２０３が指摘することを可能にする、グラフィックユーザインタフェース（ＧＵＩ）である。任意選択的に、ＧＵＩは各アーチファクト用の要素を含む。例えばＧＵＩは多数のスライダを含み、各スライダは、１つ以上の目視測定についてユーザが指示することを可能にするように設計される。評価者の目測は、例えば上で略述しかつ／または下で説明するように、画像分離マスク２０５を通して表示されるように構成された１つ以上の画像に対する１つ以上の調整を設定するために使用することができる。
【００５５】
較正システム２００はさらに、任意選択的に上に略述かつ／または下で説明するように、ユーザ目測に従ってぼけプロファイルを較正するための較正モジュール２０７を備える。較正モジュール２０７は、ぼけプロファイルに従って静止および／またはビデオ画像またはそれらのインタレースにゴースト除去および／またはぼかしを行なうために、任意選択的に出力モジュール２０９を介して調整モジュール（図示せず）にぼけプロファイルを出力する。静止および／またはビデオ画像は画像分離マスクを通して、またはもう１つの同様の特性を有する画像分離マスクを通して、例えばピッチ、曲率、屈折率、レンチキュラレンズの相対位置、透明度などの同様の特性を有する画像分離マスクを用いて表示するように設計される。任意選択的に、較正モジュール２０７は、画像分離マスクならびに加えて他の要素および／または特徴によって引き起こされるぼけを考慮に入れたぼけプロファイルを作成するために、ユーザの目測を使用する。例えば、較正パターンが画像分離マスクに印刷および付着されるときに、ユーザは、プリンタの解像度、基材のタイプ、鏡面基材のタイプ、インクのタイプ、インクの滲みのタイプ、インク盛りのタイプ、縁部鮮鋭度、および印刷中の室温などの特性によっても引き起こされるぼけを持つマルチ画像表示における１つ以上の特徴の強さまたは視認性などの特徴を目測する。調整は、評価者２０８によってもたらされる１つ以上の目測に従って行われる。
【００５６】
ここで図３を参照すると、それは、本発明の一部の実施形態に係る、較正システム２００、調整サーバ３０２、およびぼかしを生じるクライアント端末３０４間の接続の略図である。較正システム２００のコンポーネントおよび評価者２０８は図２に示す通りであるが、図３は分散システムを示しており、較正システム２００、調整サーバ３０２、およびクライアント端末３０４は、インターネットおよび／またはイーサネット（登録商標）などのコンピュータネットワーク３０１を通して接続される。そのような実施形態では、評価者２０８は、パーソナルコンピュータなどの、コンピュータネットワーク３０１に接続されたクライアント端末を使用することができ、例えば下述するように、表示された較正パターン２０２の視覚的評価を入力するために入力モジュール２０６にホスティングまたはアクセスする。上述の通り、較正システム２００は、画像分離マスク２０５または同様の画像分離マスクを通して表示される画像のマルチ画像表示を視覚化するために使用することができる。任意選択的に、較正システム２００は、視覚化をユーザに対して表示するクライアント端末３０４に接続される。そのような実施形態では、システム１００は、ユーザ３０５によって選択されるマルチ画像表示の内容に適用されるぼけプロファイルを定義することができる。任意選択的に、較正システム２００はウェブサイトをホスティングするウェブサーバにぼけプロファイルを提供する。ウェブサイトは、ユーザ３０５がクライアント端末３０４を用いて、自分が選択および／またはアップロードした画像または一連の画像を視覚化することを可能にする。視覚化はユーザが、あたかも画像分離マスクまたは同様の画像分離マスクを通して表示されたかのように、選択および／またはアップロードされた画像を見ることを可能にする。任意選択的に、システムは、アップロードされた画像、および／またはマルチ画像表示で表示されるように設計され任意選択的にインタレースされた他の画像を格納するために使用されるデータベース４０４に接続される。評価者２０８の入力に従って較正モジュール２０７によって生成されるぼけプロファイルは、選択されかつ／またはアップロードされた１つ以上の画像をぼかすために使用され、ユーザ３０５がクライアント端末３０４を通してそれらを入手できるようにする。
【００５７】
そのような実施形態では、３Ｄ映画またはクリップなどの１つ以上のシーンの創作者は、該システムを使用して、実際にマルチビューコンテンツを画像分離マスクに投射もしくは表示することなく、または実際にマルチビューコンテンツをマルチビュー表示として固定することなく、マルチビューコンテンツを編集することができる。
【００５８】
そのような実施形態では、３０５などのグラフィックコンテンツの創作者は自分が選択および／またはアップロードしたグラフィックコンテンツに基づく１つ以上のマルチ画像表示物の視覚化を見ることができ、選択および／またはアップロードされたコンテンツに基づくマルチ画像表示を生成、印刷、および／またはコピーするためにクライアント端末３０４を使用する。調整サーバ３０２は選択および／またはアップロードされた画像をぼけプロファイルに従って調整し、創作者３０５用のマルチビュー表示を生成するために印刷装置および／またはコピー装置などの装置を使用する。
【００５９】
任意選択的に、表示は印刷物であり、視覚化は、マルチ画像表示物を印刷および／またはコピーするために使用される特定の印刷および／またはコピー装置の特性に従って、例えば印刷および／またはコピー装置によって特定の印刷にもたらされる１つ以上の印刷アーチファクトに従って計算される。任意選択的に、視覚化は、印刷および／またはコピー媒体によって生じる、より多くの印刷アーチファクトに従って計算される。例えば、印刷アーチファクトは滲みアーチファクト、縁部鮮鋭度アーチファクト、バンディングアーチファクト、および光沢不均一性アーチファクトである場合がある。任意選択的に、印刷アーチファクトプロファイルは較正モジュール２０７によって作成され、上述した視覚化を調整するために使用される。
【００６０】
視覚化は例えば、ぼけプロファイルに従ってかつ任意選択的に印刷アーチファクトプロファイルに従って調整される、マルチ画像表示物の１つ以上のアニメーションおよび／または１つ以上のアナグリフ画像の作成によって、種々の形を取ることができることに注目されたい。任意選択的に、アニメーションおよび／またはアナグリフ画像は、プリントアウト、スクリーン表示、および／または１つ以上の選択および／またはアップロードされた画像および／またはアナグリフ画像を表示する任意の他の形で出力される。参照によって本書に包含される、例えば２００２年５月１４日発行の米国特許出願第６３８９２３６号を参照されたい。
【００６１】
ここで再び図２を参照すると共に、例示的較正パターンテンプレートである図４、および本発明の一部の実施形態に係る、較正パターンテンプレート内に配置するように設計された例示的な可変性較正タイルを図式的に示す図５を参照しながら説明する。上述の通り、ユーザおよび／または画像取込み装置は、例示的較正パターンに基づき特定の画像分離マスクによって引き起こされるぼけを評価するために使用される。
【００６２】
本発明の一部の実施形態では、イメージングユニット２０１は、マルチ画像表示物を作成するために使用される１つ以上のインタレース画像の印刷と略同様に較正パターンを印刷する。較正パターンは、レンチキュラレンズアレイの裏面、または上記画像分離マスクと同様もしくは略同様の任意の他の画像分離マスクの裏面に配置される。較正パターンの例えば１８１で示される各白枡は、例えば図５に示すように可変性較正タイルに置換される。評価者２０８は画像分離マスクを通して可変性較正タイルの明瞭性を捕捉または観察し、各行において、可変性較正タイルが関連周囲フレームから区別できない列を識別する。任意選択的に、較正パターンは画像分離マスクの裏面に直接、または画像分離マスクの裏面に近接して配置された媒体上に、任意選択的に最終インタレース画像が印刷されるのと同様の仕方で印刷される。
【００６３】
任意選択的に、可変性較正タイルは少なくとも１つのビューでは非白色セグメントを含み、残りのビューでは白色セグメントを含む。明確を期すために、画像分離マスクによって表示されるｎ個の可能なビューが存在すること、および較正タイルの内容は画像分離マスクのそれぞれのビューに対応するｎ個の値のベクトルＥによって表わすことができることを想定する。一部の実施形態では、較正タイルは次のように定義される。
2010521081.tif 000003
ここで１は黒セグメントを表わし、０は白セグメントを表わす。そのような仕方で、各タイルは１つのビューでは絶対黒を含み、他の全てのビューでは絶対白を含む。タイルの数は、ビューの個数であるｎに等しい。他の実施形態では、較正タイルは次のように定義される。
2010521081.tif 000004
ここで各値はそれぞれのセグメントのグレーレベルを表わす。そのような仕方で、各タイルは、各々異なる視点から見て異なるグレーレベルを持つセグメントを含むことができる。
【００６４】
任意選択的に、較正パターンは、シミュレートする必要のある印刷効果に依存する。図４および５は例えば、ビュー内およびビュー間のぼかし効果をシミュレートする。測定プロセスは、各々が試験に関連付けられる１組の測定から構成される。図４は、６つの試験および／または測定の１例を表わす。各試験に対し、異なるパターンが、１８０で示すように異なる強度の境界内に印刷される。ひとたびパターンが画像分離マスクの裏に配置されると、評価者２０８は、各試験および／または各行に対し、画像分離マスクの効果により内部矩形が周囲境界と同一見かけの強度を持つようになった列を識別する。そのような列が幾つか存在する場合、評価者２０８は列の１つ、例えば真ん中の列を選ぶか、あるいは全ての列を出力として提供することができる。この列は、あたかも評価者２０８が強度を測定したかのように、試験のレンチキュラ強度の推定品質を表わす。
【００６５】
ここで再び図２を参照すると共に、図９〜１０を参照しながら説明する。図９〜１０は、本発明の一部の実施形態に係る、本書でアーチファクト較正テンプレート３５０と呼ぶことのある、分離可能なアーチファクト識別子を有する例示的較正パターンテンプレート３５０、および例示的較正パターンテンプレート３５０に従ってぼけプロファイルを調整するためのＧＵＩ３５１それぞれの略図である。例示的較正パターンテンプレート３５０の分離可能なアーチファクトの識別子は９桁の数字である。オペレータは、マルチビュー表示を通して数字を見るように、かつそれらの強度を調整するためのスライダ３５２を用いることによってそれらの知覚された強度を調整するように要求される。ユーザは、それぞれのスライダ３５２を操作することによって、各々の数字の知覚された強度をそれぞれの行３５５の強度と整合するように調整する。ＧＵＩ３５１は、どの視覚的効果が例示的較正パターンテンプレート３５０に現われているかを、オペレータ２０３が指摘することを可能にする。ＧＵＩ３５１は、各々が３５３で示すようにアーチファクト較正テンプレート３５０の分離可能なアーチファクト識別子の１つを調整するように設計された、例えば３５２に示す多数のコントロールを含む。
【００６６】
任意選択的に、ユーザは、較正パターンテンプレート３５０を画像分離マスク上に配置するように、または該テンプレートを該マスク上に投射するように要求される。次いで、オペレータ２０３は、印刷された較正パターンテンプレート３５０上に現われる各々の分離可能なアーチファクト識別子の強度を評価し、それぞれのコントロール、任意選択的にＧＵＩ３５１のスライダを使用して、任意選択的にＧＵＩ３５１によってシミュレートされる較正パターンテンプレート３５４の視覚化を調整する。調整は、視覚化された較正パターンテンプレート３５４の強度を、画像分離マスクを通して表示されるかまたは画像分離マスク上に投射された印刷較正パターンテンプレート３５１と均等化することによって、視覚的評価を定義する。任意選択的に、ユーザは、シミュレートされた各々の分離可能なアーチファクト識別子の強度を、較正パターンテンプレート３５０上のそれぞれの分離可能なアーチファクト識別子の強度と相似するように調整する。次いで、シミュレートされた較正パターンテンプレート３５４をオペレータ２０３が調整した後、オペレータ２０３によって、任意選択的に上述した較正モジュール２０７によって調整された強度に基づいて、ぼけプロファイルが推定される。
【００６７】
本発明の一部の実施形態では、調整された強度は、例えば方程式４に関連して下述するように回帰分析によって、ぼけプロファイルを作成するために使用され、ここで１組の調整された強度値は１組の測定値Ｍｊに対応する。他の実施形態では、ぼけプロファイルカーネルＫは、測定値Ｍｊの和１への正規化として算出される。
【００６８】
較正パターンの現出は、評価者２０８の視点の位置によって異なることに注目されたい。任意選択的に、入力モジュール２０６は、評価者２０８が現在の位置を自分および／またはそれに対して提供することを可能にする。現在の位置は任意選択的に、１つ以上のインタレース画像および／または１つ以上のインタレース画像の視覚化を較正するために使用される。
【００６９】
ここで図６をも参照すると、それは、本発明の一部の実施形態に係る、画像取込み装置２０４、較正パターン２０２、較正システム２００、および画像分離マスク２０５の略図である。図６に示す通り、画像取込み装置２０４は処理ユニット２１０に接続される。任意選択的に、処理ユニット２１０はシステム２００および画像取込み装置２０４によって使用される。上述の通り、目測を提供する評価者は、人間オペレータ２０３および／または画像取込み装置２０４とすることができる。図６に示す通り、画像取込み装置２０４は、較正パターンから反射しかつ画像分離マスク２０５を通過した光を光学的に測定する。任意選択的に、画像取込み装置は処理ユニット２１０を使用して光測定を受け取り、それらを処理して例えば下述するように表示のぼけプロファイルを推定する。
【００７０】
本発明の１実施形態では、画像取込み装置２０４は、図４に示された較正パターンから出射した光を測定する。光は画像分離マスク２０５を通過するので、測定される光は、マスクの光学的構造および任意選択的にその光学収差によって影響されていることが確実である。任意選択的に、測定される光は表示の他の特徴によって影響される。例えばマルチ画像表示が、画像用紙上に印刷されレンチキュラレンズの裏面にラミネートされた画像を含む場合、他の態様として用紙のタイプ、ラミネーションの品質、インクのタイプ、ハーフトーニングアルゴリズム等が挙げられる。上述の通り、本発明の一部の実施形態では、画像分離マスク２０５はレンチキュラレンズアレイを含む。任意選択的に、レンズのピッチは事前に較正モジュール２０７に提供される。そのようなデータは、コンピュータネットワーク３０１に接続された上述のデータベース４０４に格納するか、あるいはシステムオペレータによってアップロードすることができる。そのような情報は任意選択的に、マルチ画像表示用の最終画像を作成するために適用されるインタレースプロセス中に使用される。
【００７１】
本発明の一部の実施形態では、較正パターンは、画像取込み装置２０４が、例えば例示的較正パターンテンプレート１８５である図７および本発明の一部の実施形態に係る例示的可変性較正タイルの略図である図８に示すように、該パターンから出射する光を測定できるように設計される。較正パターンテンプレート１８５は図４で使用されたパターンと同様であるが、この較正パターンテンプレート１８５はさらに、その隅１９３、１９４の各々におけるアラインメントマーク、および各行用の相互にずらしたセンタリングマーク１９１のセットを含む。任意選択的に、アラインメントマークは、画像分離マスク２０５の２０個のレンチキュールの領域と同様の領域をカバーする。図８の例示的可変性較正タイルは、図５で使用された可変性較正タイルと同様であるが、これらの可変性較正タイルは、較正パターンテンプレート１８５の白枡内に配置される前に９０度回転される。そのような仕方で、任意選択的にレンチキュラレンズアレイである画像分離マスク２０５は、レンチキュールが水平方向に配向されるように配置することができる。タイルは１９０の領域に配置される。
【００７２】
最初に、較正パターンテンプレート１８５は上述の可変性較正タイルで埋め尽くされ、基準画像を作成する。Ｔと呼ばれることのある基準画像は、任意選択的に下述するようにマッチングのために格納される。較正パターンテンプレート１８５はまたマルチビュー表示でも表示され、例えばレンチキュラレンズアレイなどの画像分離マスクの裏面に印刷され、例えば図６に示すように画像分離マスク２０５を介して画像取込み装置２０４に対して表示される。ここで、Ｔが定義され、それぞれの較正パターンがマルチビュー表示で表示され、例えば印刷された後、表示／印刷された較正パターンの画像は取り込まれる。任意選択的に、取り込まれた画像と基準画像との間のアラインメントが見出される。アラインメントは任意選択的に、アラインメントマーク１９３、１９４を用いて識別される。アラインメントは当業界で公知の任意の多くのアラインメント方法によって見出すことができることに注目されたい。任意選択的に、アラインメントマーク１９３、１９４はパターン認識のための画像相関などのパターン認識検出方法を用いて識別される。参照によって本書に組み込まれる、１９９１年１１月１２日発行の米国特許第５０６５４４０号を参照されたい。次いで、取り込まれた画像における４つのアラインメントマーク１９３、１９４の位置と基準画像におけるそれらの位置との間の変換が導出され、取り込まれた画像を位置合わせするために使用される。任意選択的に、取り込まれた画像は、位置合わせされた取込み画像を作成するために、動的に再サンプリングされる。参照によって本書に組み込まれる、１９９４年１２月２２日出願の米国特許第５５９４６７６号を参照されたい。そのような変換は当業界で公知であり、したがって本書ではこれ以上説明しないことに注目されたい。参照によって本書に組み込まれる、例えば１９９９年３月１６日出願の米国特許第６５１０２４４号、２００３年７月２９日出願の米国特許第７１７５２８５号、２００３年１１月１３日出願の米国特許第７２７４８３２号、および２００２年２月２０日出願の米国特許第７１１３６３２号を参照されたい。明確を期すために、位置合わせされた取込み画像をＩＷと呼ぶことができる。
【００７３】
ここで、アラインメント後にぼけプロファイルを算出することができる。明確を期すために、位置合わせされた取込み画像はＩＷと呼ぶことができる。較正パターンテンプレート１８５の各行に対し、その付近のパターンに最も近い強度のパターンを持つ可変性較正タイル入りの枡が設けられる。明確を期すために、較正パターンテンプレート１８５の行の各々をｒＫと呼ぶことができ、ここでＫは行の番号を表わす。ここでｆ１，．．．，ｆｈと呼ぶことのできる枡の既知の位置を前提として、それぞれｂ１，．．．，ｂｈおよびＯ１，．．．，Ｏｈと呼ばれるそれらの内側部分の領域およびそれらを包囲する領域に現われるパターンは、次のように算出することができる。
2010521081.tif 000005
ここでｙはＩＷにおける周囲領域の平均輝度の差を最小化するインデックスであり、Ｅは平均演算子を表わす。次に、ｙが算出された後、ぼけプロファイルのコンボリューションカーネルＫは、下述するように回帰分析を用いることによって回復され、ここで定義される周囲領域Ｏｙの輝度値は、下で定義する測定の値Ｍｊと一致する。
【００７４】
任意選択的に、評価者２０８は、評価がそこから実行されることになっている位置または視角の指標を受け取る。任意選択的に、較正パターンは、評価者２０８が較正パターンに対するその位置および／または視角を突き止めるのを助けるパターンを含む。中心ビューなどの特定のビューの位置を突き止めるためにそのようなパターンを使用することは、レンチキュラ印刷プロセスの標準技術である。そのような任意選択的プロセスは当業界で公知であり、したがって本書ではこれ以上説明しない。
【００７５】
任意選択的に、較正パターンは、評価者２０８がその位置および／または視角を識別することを可能にするパターンを含む。そのような実施形態では、評価者は、その位置および／または視角に関する情報を測定値と共に提供する。そのような位置情報は、評価者が輝度、コントラスト、画像内の画像特徴およびゴーストの位置などの特性を識別することを可能にすることにより、または相関関係などのパターン認識アルゴリズムの使用を可能にすることにより、例えば幾つかのインタレース画像からどの画像がパターン内で見えるかを識別するように評価者に指示することによって取得することができる。そのような実施形態では、較正パターンの現出はユーザの視点位置および／または視角に依存する。任意選択的に、較正パターンは、評価者が該パターンに対するその位置を突き止めることを助ける１つ以上のテンプレートを含む。
【００７６】
任意選択的に、較正パターンはバンディングパターンを含む。周知の通り、光学的バンディングアーチファクトは、マルチ画像表示の望ましくないアーチファクトである。光学的バンディングアーチファクトは、画像分離マスクのピッチがマスクに付着または投射されるインタレース画像により較正されていないことを示している場合があり、かつ／または印刷／表示プロセスの不正確さを示している場合がある。
【００７７】
任意選択的に、イメージングユニット２０１は、各線が例えば図１１に示すように他の線から相互に一定距離に配置された黒線の繰返しパターンを表わす、バンディング較正パターン３７０を印刷するために使用される。評価者２０８はここで、バンディング較正パターン３７０から反射されるバンディングの範囲およびその変位などのバンディング効果の特性を評価し、目測を入力するために入力モジュール２０６を使用する。任意選択的に入力モジュール２０６は、図４に示す較正パターンの使用と同様に、評価者２０８が目測を容易に入力することを可能にする１つ以上のスライダなどのＧＵＩを表示する。
【００７８】
別の実施形態では、図１２に示すように、バンディング効果をシミュレートする１つ以上のパターン４８１を含むＧＵＩ４８０が、任意選択的にオペレータ２０３である評価者２０８に表示される。任意選択的にオペレータ２０３である評価者２０８は、バンディング効果が見えるか否かを視覚的に評価し、かつ任意選択的にバンディング効果の特性を定義するために１つ以上のスライダ４８２を使用する。１つ以上のパターン４８１は、スライダによって行われる調整に応答する。調整は、上述の通り、１つ以上の画像を較正するためのバンディングプロファイルを定義する較正モジュール２０７に転送される。バンディングプロファイルの推定サイズは、例えば入力画像における同様のバンディングをシミュレートすることにより、例えば、ユーザによって指示された１つ以上の特性を有する遷移を表わす一連の画像を提示することにより、バンディング効果を低減するために使用することができる。
【００７９】
バンディングプロファイルの別の可能な使用は、２つ以上の光学的バンディングアーチファクトを含む１つ以上の領域を回避することである。そのような仕方で、１つのビューから別のビューへの遷移は画像の片側から始まり、別の側に進む。例えば画像が２×２インチを有するレンチキュラレンズアレイ上に印刷するように設計され、かつバンディング効果が約２．５インチ幅となるようにユーザが指定する場合、バンディング効果が２×２インチ画像の間の空間のみに発生し、画像自体には発生しないように、２×２の画像を配置することができる。
【００８０】
ここで図１３を参照すると、それは、本発明の一部の実施形態に係る、マルチ画像表示を視覚化するための方法のフローチャートである。ブロック１０１〜１０４は図１に示した通りであるが、図１３はさらに、インタレース画像などの１つ以上の画像のマルチ画像表示の視覚化を可能にする多数のブロックを示す。
【００８１】
２５１に示すように、任意選択的に上記の通り異なる視野方向に同時に提示される１つ以上の画像を受け取る。次いで、２５２に示すように画像は任意選択的にインタレースされる。次いで、２５３に示すように、インタレース画像の１つ以上は、１０１〜１０４で算出されたぼけプロファイルを用いてぼかされる。任意選択的に、ぼけプロファイルはコンボリューションフィルタとして定義され、ぼかしはインタレース画像全体に畳み込みを行なうことによって実行される。次に、２５４に示すように、１つ以上のぼかしたインタレース画像が視覚化される。任意選択的に、ぼかしたインタレース画像は任意選択的に、１つ以上のぼかしたインタレース画像から関連列を捕集および／または補間することによってデインタレースされる。
【００８２】
画像が任意選択的に視覚化のためにデインタレースされるので、プロセスの計算量を低減することができる。任意選択的に、１つ以上の受取り画像の１つ以上のセグメントだけがインタレースされ、インタレース画像全体を作成する必要が無い。例えば各々がインタレース画像の一部分を作成し、その一部分だけをぼかすことができる。
【００８３】
本発明の一部の実施形態では、マルチ画像表示のエミュレーションは１組の半透明画像によって実現される。エミュレートされたマルチ画像表示は次のように定義される。
2010521081.tif 000006
ここでν１，．．．，νｎは、マルチビュー表示に提示される１組のビューに対応するｎ個の半透明画像を表わし、ｓ１，．．．，ｓｎは、１実施形態ではぼけプロファイルのカーネルＫの値に対応するそれぞれの半透明画像のそれぞれの強度を表わし、ｖはエミュレートされたマルチ画像表示のビューを表わす。
【００８４】
任意選択的に、ぼけプロファイルは回帰分析を用いて回復される。本発明の一部の実施形態では、１組のコンボリューション係数は最小二乗回帰プロセスを用いて回復される。明確を期すために、Ｍ１，．．．，ＭＫの各々は、評価者によって識別された測定値に各々対応する１組の測定値のメンバを表わし、Ｐ１，．．．，ＰＫの各々は、１組のテンプレートベクトルのメンバを表わす。そのような実施形態では、較正パターンは任意選択的に、各々が１組の均一な列から構成される多数の印刷されたテンプレートを含む。テンプレートベクトルの各々は、印刷されたテンプレート列の強度値を含む。明確を期すためにＫで表わされるコンボリューションカーネルは、次の組の１次方程式を解くことによって回復される。
2010521081.tif 000007
ここでｊ＝１．．．Ｋであり、ｓはユーザの視点位置を表わす。
【００８５】
任意選択的に、上記組の測定値Ｍ１，．．．，ＭＫは、オペレータ２０３によって調整される値に従って、例えば図４に示しかつ上述したように、各行に対してオペレータによって選択された枡によって定義される強度に従って決定され、テンプレートベクトルＰ１，．．．，ＰＫは、任意選択的に上述したようにオペレータに提示されるそれぞれの分離可能なアーチファクト識別子に対応する。そのような実施形態では、ｊ番目の分離可能なアーチファクト識別子がビューｉに現出した場合、Ｐｉ［ｊ］＝１であり、それ以外ではＰｉ［ｊ］＝０である。
【００８６】
任意選択的に、上記組の測定値Ｍ１，．．．，ＭＫは、図１０に示されかつ上述したＧＵＩのスライダによって定義される強度に従ってオペレータ２０３によって調整される値に従って決定される。
【００８７】
任意選択的に、２５３で実行されるぼかしは線形モデリングを用いて行われる。任意選択的にコンボリューションカーネルであるぼけプロファイルは、参照によって本書に組み込まれる例えば２００８年１月１５日出願の国際特許出願ＩＬ２００８／００００６０に記載されるように、測定プロセスを単純化する。任意選択的に図４および５に示す較正パターンは１組の均等な列から構成され、テンプレートベクトルＰ１，．．．，ＰＫの各々は、印刷されたテンプレート列の強度値を含む。任意選択的に、幾つかの基底関数を有する１次関数として任意選択的に定義される一般１次ぼけ関数が定義される。任意選択的に、該１次関数は、ｔ基底カーネルＫｉの１次結合として与えられるコンボリューションカーネルＫの畳み込みに基づくシフト不変ぼけ関数として実現される。
2010521081.tif 000008
【００８８】
任意選択的に、基底関数の組は、スプライン、多項式、零平均および異なる分散のガウス型などの補間関数を含む。
Ｋは次の組の方程式を回復することによって算出される。
2010521081.tif 000009
ここでｊ＝１，．．．，Ｋであり、αｉ，．．．，αｔは方程式で解かれた１組の１次係数を表わし、ｓは任意選択的に上述したようにユーザの視点位置を表わす。任意選択的に、２５３で実行されるぼかしは、非線形モデリングを用いて行われる。そのような実施形態では、例えば次のように多数のコンボリューションカーネルが使用される。
2010521081.tif 000010
ここでαおよびβはパラメータであり、ｋは、フィルタサム（ｆｉｌｔｅｒ  ｓｕｍ）を例えば１に正規化するために使用される正規化係数である。任意選択的にガウスフィルタを含め、多数のフィルタが任意選択的に使用される。
【００８９】
任意選択的に、ぼけプロファイルは少数のパラメータ、好ましくは１〜２個のパラメータにより定義することができる。ぼけプロファイルは次のように推算することができる。
ａ．画像分離マスクの裏に付着および／または印刷された較正パターンを提供する。そのような較正パターンの１例として、任意選択的に本発明の一部の実施形態に係る矩形に配列された９つの円形勾配パターンの画像の組の例示的略図である図１４に示すように、１組の画像に基づくインタレース画像がある。各画像は異なる円形にドットを含む。
ｂ．各シミュレーションで異なるぼけを用いて、較正パターンの１つ以上のシミュレーションを評価者に対して表示する。
ｃ．提供された較正パターンに他のシミュレーションより似ているシミュレーションの１つを評価者に選択させる。任意選択的に、選ばれたシミュレーションはぼけプロファイルを設定するために使用される。
【００９０】
ここで、再び図１を参照しながら説明する。任意選択的に、１つ以上のシミュレーションが、スクリーンなどのディスプレイ装置を使用して評価者に提示される。任意選択的に、評価者は入力モジュール２０６を用いて、シミュレーションの１つ以上のぼけパラメータを調整し、かつその調整を視覚的に評価することができる。任意選択的に、入力モジュール２０６は、上述したイメージングユニット２０１またはディスプレイ装置に表示されるＧＵＩである。そのようなＧＵＩは任意選択的に、仮想スライダ、コンボボックス、仮想ノブ、および／またはぼけを調整するために使用することのできる任意の他のグラフィックツールを含む。任意選択的に、イメージングユニット２０６は、各々が異なる組のパラメータによって定義されるぼけをシミュレートする複数のプリントを出力するように設計される。
【００９１】
上述の通り、較正システム２００は、ぼかしフィルタを作成するために使用することのできるぼけプロファイルを算出するように設計される。そのようなぼかしフィルタは、画像分離マスクによって、例えばレンチキュラレンズアレイによって生じる光学的ぼけアーチファクトなどのアーチファクトを低減するために使用することができる。任意選択的に、ぼけプロファイルは、１つ以上のゴーストアーチファクトを低減および／または排除するために使用することができる。本書で使用する場合、ゴーストアーチファクトとは、画像が少なくとも別の画像の要素をも含むように見える視覚的効果を意味する。レンチキュラレンズアレイでは、レンチキュールに当たる光はレンチキュラ材料全体で反射する。凸形のレンチキュールを前提として、光は様々な角度に反射する。これは、理論的には、所与の視角に対して印刷画像の１セグメントだけを見ることがサポートされるが、光は画像の他のセグメントからも反射するので、観察者にはそれらもある程度見える場合があることを意味する。
【００９２】
３Ｄ画像の奥の被写体のぼけた状態として、または少なくとも１つの画像の別の画像へのオーバレイとして表わされるゴーストアーチファクトは、任意選択的に、ぼけプロファイルに従ってモデル化される。任意選択的に、ゴーストアーチファクトは、インタレース画像などのマルチ画像表示で表示されるように設計された画像から低減される。任意選択的にかつ／または代替的に、ゴーストアーチファクトは、インタレース画像を作成するために使用されるように設計された画像から、またはインタレース画像を作成するために使用するように設計された画像のセグメントから低減される。
【００９３】
ゴーストアーチファクトは、本書でゴースト除去および／またはぼかし除去プロセスと呼ぶことのできるプロセスで、ぼけプロファイルに従って低減することができる。任意選択的に、インタレース画像の画素の値は、係数の少なくとも１つが負となるように線形結合される。そのような仕方で、ゴースト除去プロセスと、任意選択的にレンチキュラレンズアレイである画像分離マスクによって生じるぼけとの結合効果は、ゴースト除去プロセス無しで生じるぼけより著しく低い。
【００９４】
任意選択的に、ゴースト除去プロセスは、次のように定義される反復プロセスである。
2010521081.tif 000011
ここでＩはインタレース画像を表わし、ｆは方程式４、５に示されるカーネルＫなどのモデル化されたレンチキュラぼかしプロセスのコンボリューションカーネルであり、ｇは任意選択的にｆに等しいぼけ演算子を表わし、ｓは、インタレース画像を所定の範囲に維持するように定義される、例えば８ビット画像の場合０から２５５の間のサイズを表わし、画像Ｉ（ｎ）は最後の繰返しで算出されるプロセスの結果を表わす。任意選択的に、ｆが対称である場合、ｇ＝ｆである。任意選択的に反復回数は予め定められる。任意選択的に反復回数は、ｓのサイズに従って定義することのできる停止基準に従って動的に決定される。
【００９５】
本発明の一部の実施形態では、マルチビュー表示はハーフトーンフォーマットの画像を必要とする。本書で使用する場合、ハーフトーンフォーマットとは、網点の表わす階調の強度に正比例して変化する様々なサイズおよび形状の一連の網点によって細部および階調値が表わされる、写真製版法による印刷表面またはそこからの印象を意味する。そのようなマルチ画像表示の１例は、参照によって本書に組み込まれる米国特許第６０６１１７９号に、またはそれに付着または印刷された１つ以上の画像を有するレンチキュラレンズアレイなどのマルチ画像表示に提示されている。通常、ハーフトーンフォーマットは各画素が低ビット数で表わされるフォーマットである。ハーフトーニングまたはハーフトーンスクリーニングプロセスは、高品質の画像を複製するために使用することができる。参照によって本書に組み込まれる、例えば１９９０年４月１３日出願の米国特許第５１０７３４６号、および２００２年２月２２日出願の米国特許第５９９１４３８号を参照されたい。１例として、１つ以上のハーフトーン画像を入力として受け取る印刷装置および／またはコピー装置によって生成される印刷レンチキュラ表示がある。
【００９６】
任意選択的に、ぼかし除去またはゴースト除去は、マルチビュー表示のぼけプロファイルを考慮に入れるハーフトーニングプロセスとして実行される。任意選択的にハーフトーニングプロセスは、参照によって本書に組み込まれる例えば米国特許第５４７５４９７号に記載するように、変調伝達関数（ＭＴＦ）および／または有限インパルス応答（ＦＩＲ）フィルタのインパルス応答に基づくフィルタに従って定義される、少なくともスクエアハーフトーニング（ｓｑｕａｒｅｓ  ｈａｌｆｔｏｎｉｎｇ）アルゴリズムを用いて実現される。そのような実施形態では、ゴースト除去フィルタは、２つの１次元フィルタの積に基づく。第１の１次元フィルタはぼけプロファイルまたはそこから導出される任意のフィルタであり、第２の１次元フィルタは、参照によって本書に組み込まれる例えば米国特許第５４７５４９７号の図３および４にあるように、人間の視覚をモデル化するために使用されるフィルタのインパルス応答である。
【００９７】
この出願が実った特許の存続期限中に、本願の多くの関連装置、方法、およびシステムが発展することが予想され、シーケンス、画像カメラ、ネットワーク、および通信といった用語の範囲は、全てのそのような新技術を先験的に包含することを意図している。
【００９８】
本明細書中で使用される用語「約」は、±１０％を示す。
【００９９】
用語「含む／備える（ｃｏｍｐｒｉｓｅｓ、ｃｏｍｐｒｉｓｉｎｇ、ｉｎｃｌｕｄｅｓ、ｉｎｃｌｕｄｉｎｉｎｇ）」、「有する（ｈａｖｉｎｇ）」、およびそれらの同根語は、「含むが、それらに限定されない（ｉｎｃｌｕｄｉｎｇ  ｂｕｔ  ｎｏｔ  ｌｉｍｉｔｅｄ  ｔｏ）」ことを意味する。
【０１００】
用語「からなる（ｃｏｎｓｉｓｔｉｎｇ  ｏｆ）」は、「含み、かつそれらに限定される（ｉｎｃｌｕｄｉｎｇ  ａｎｄ  ｌｉｍｉｔｅｄ  ｔｏ）」ことを意味する。
【０１０１】
用語「から本質的になる（ｃｏｎｓｉｓｔｉｎｇ  ｅｓｓｅｎｔｉａｌｌｙ  ｏｆ）」は、さらなる成分、工程および／または部分が、特許請求される組成物、方法、または構造の基本的かつ新規な特徴を実質的に変化させない場合にだけ、組成物、方法、または構造がさらなる成分、工程および／または部分を含み得ることを意味する。
【０１０２】
本明細書中で使用される場合、単数形態（「ａ」、「ａｎ」および「ｔｈｅ」）は、文脈がそうでないことを明確に示さない限り、複数の参照物を包含する。例えば、用語「化合物（ａ  ｃｏｍｐｏｕｎｄ）」または用語「少なくとも１つの化合物（ａｔ  ｌｅａｓｔ  ｏｎｅ  ｃｏｍｐｏｕｎｄ）」は、その混合物を含めて、複数の化合物を包含し得る。
【０１０３】
本開示を通して、本発明の様々な実施形態が範囲形式で提示され得る。範囲形式での記載は単に便宜上および簡潔化のためであり、本発明の範囲に対する柔軟性のない限定として解釈すべきでないことを理解しなければならない。従って、範囲の記載は、具体的に開示された可能なすべての部分範囲、ならびに、その範囲に含まれる個々の数値を有すると見なさなければならない。例えば、１〜６などの範囲の記載は、具体的に開示された部分範囲（例えば、１〜３、１〜４、１〜５、２〜４、２〜６、３〜６など）、ならびに、その範囲に含まれる個々の数値（例えば、１、２、３、４、５および６）を有すると見なさなければならない。このことは、範囲の広さにかかわらず、適用される。
【０１０４】
数値範囲が本明細書中で示される場合には常に、示された範囲に含まれる任意の言及された数字（分数または整数）を含むことが意味される。第１の示された数字および第２の示された数字「の範囲である／の間の範囲」という表現、および、第１の示された数字「から」第２の示された数「まで及ぶ／までの範囲」という表現は、交換可能に使用され、第１の示された数字と、第２の示された数字と、その間のすべての分数および整数とを含むことが意味される。
【０１０５】
明確にするため別個の実施形態の文脈で説明されている本発明の特定の特徴は単一の実施形態に組み合わせて提供することもできることは分かるであろう。逆に、簡潔にするため単一の実施形態の文脈で説明されている本発明の各種の特徴は、別個にまたは適切なサブコンビネーションで、または本発明の他の実施形態において好適に提供することもできる。種々の実施形態の文脈において記載される特定の特徴は、その実施形態がそれらの要素なしに動作不能である場合を除いては、それらの実施形態の不可欠な特徴であると見なされるべきではない。
【０１０６】
本発明はその特定の実施形態と共に説明してきたが、多くの別法、変更および変形があることは当業者には明らかであることは明白である。従って、本発明は、本願の請求項の精神の広い範囲の中に入るこのような別法、変更および変形すべてを包含するものである。
【０１０７】
本明細書中で言及した刊行物、特許および特許願はすべて、個々の刊行物、特許または特許願が各々あたかも具体的にかつ個々に引用提示されているのと同程度に、全体を本明細書に援用するものである。さらに、本願で引用または確認したことは本発明の先行技術として利用できるという自白とみなすべきではない。節の見出しが使用されている範囲まで、それらは必ずしも限定として見なされるべきではない。
【図１】
2010521081.tif 000012
【図５】
2010521081.tif 000013
【図８】
2010521081.tif 000014
【図１３】
2010521081.tif 000015
【図２】
2010521081.tif 000016
【図３】
2010521081.tif 000017
【図４】
2010521081.tif 000018
【図６】
2010521081.tif 000019
【図７】
2010521081.tif 000020
【図９】
2010521081.tif 000021
【図１０】
2010521081.tif 000022
【図１１】
2010521081.tif 000023
【図１２】
2010521081.tif 000024
【図１４】
2010521081.tif 000025
【国際調査報告】
2010521081.tif 000026
2010521081.tif 000027
2010521081.tif 000028